(57)【特許請求の範囲】
【請求項１】
引出収納箱と、これが出入自在に収納されるケース本体と、このケース本体上部に選択的に嵌合される天板とからなる収納ケースにおいて、
前記ケース本体の左右両側壁の上部に上嵌合枠をそれぞれ一体的に立設して、これら各上嵌合枠の側面にケース本体用係合部と天板用係合部とをそれぞれ複数形成する一方、このケース本体の下部に前記上嵌合枠に嵌合し得る下嵌合枠をそれぞれ一体的に形成するとともに、各下嵌合枠の側面に、前記各上嵌合枠側のケース本体用係合部に係合し得る係合部を形成し、
１つの前記天板用係合部とケース本体用係合部とを同一位置に形成するとともに、他の前記天板用係合部を、他の前記ケース本体用係合部と別位置に形成するとともに、断面が半円形となるカマボコ状にし、
さらに、前記ケース本体用係合部と同一位置に形成した天板用係合部に係合する第１嵌合部を天板に形成して、この第１嵌合部に前記ケース本体の内側に向けて突出する指掛けを形成し、
このケース本体の上部に対する、他のケース本体の係合、または前記天板の嵌合を選択可能としたことを特徴とする収納ケース。
【発明の詳細な説明】
【０００１】
【発明の属する技術分野】
本発明は、合成樹脂によりそれぞれ一体成形されるケース本体と、これに出入自在に収納される引出収納箱とからなる収納ケースに関し、特に、同じく合成樹脂によって一体成形される天板をも脱着自在とした収納ケースに関するものである。
【０００２】
【従来の技術】
ケース本体と引出収納箱とからなる収納ケースは、衣裳、ビデオテープあるいはＣＤ（コンパクトディスク）を収納するものとして、既に種々提案されてきている。また、この収納ケースは、大量生産に向いていて、しかも耐久性の高いものとすることができることから、そのケース本体及び引出収納箱を、合成樹脂により一体的に形成することも一般的に行われてきている。
【０００３】
そして、この従来から提案されてきている収納ケースは、収納された引出収納箱の上部を覆うために、ケース本体の上部側に天板が外れないように強固に嵌合されている。従って、この強固に嵌合されている天板を外そうとすると、原料樹脂が割れて破損してしまうこととなり、使用勝手が非常に悪いだけでなく、商品としての機能を果たさなくなってしまうことになるのである。
【０００４】
また、この種の収納ケースが、天板とケース本体とが一体成形されたＣＤ収納ケースである場合に、ＣＤが増えてくれば、同様なＣＤ収納ケースを買い足してこれを前のものの上に積み上げることがなされる。
【０００５】
収納ケースを順に上に積み上げるのであれば、各ケース本体の上部を完全な板状としておくことは、合成樹脂材料の無駄となる。何故なら、下側の引出収納箱の上は、そのケース本体の板状上部と、上側収納ケースあるいは引出収納箱の底面によって二重に覆われることになるからである。
【０００６】
また、収納ケースを順に上に積み上げることを想定するのであれば、互いにズレないような工夫もしておかなければならない。この位置ズレ防止策も、従来の収納ケースにおいては種々提案されてきているが、いずれもケース本体の上部を完全な板状にすることを前提としているものであり、積み上げたときには、一番上のものはともかく、下側のものにおいては上述したような無駄が発生するものである。
【０００７】
このため、発明者等は、強固に嵌合されている天板とケース本体とを破損することなく取り外す構成を採用することによって、ケース本体に嵌合されている天板を破損することなく取り外すことができ、必要に応じて他のケース本体を追加して増やしたりすることができる収納ケースを完成したのである。
【０００８】
【発明が解決しようとする課題】
本発明は、以上のような経緯に基づいてなされたもので、その解決しようとする課題は、収納ケースにおける使用勝手の向上である。
【０００９】
すなわち、本発明の目的とするところは、ケース本体の上部側に対する天板の嵌合を破損することなく行うことができ、また別のケース本体の取り付けを容易に行うことができて積み上げを良好に行うことができて、しかも、天板の取り付け及び取り外し作業をより簡単に行うことのできる収納ケースを、簡単な構造によって提供することにある。
【００１０】
【課題を解決するための手段】
以上の課題を解決するために、本発明の採った手段は、後述する実施の形態の説明中において使用する符号を付して説明すると、
「引出収納箱２０と、これが出入自在に収納されるケース本体１０と、このケース本体１０上部に選択的に嵌合される天板３０とからなる収納ケース１００において、
ケース本体１０の左右両側壁の上部に上嵌合枠１１をそれぞれ一体的に立設して、これら各上嵌合枠１１の側面にケース本体用係合部１３と天板用係合部１４とをそれぞれ複数形成する一方、このケース本体１０の下部に上嵌合枠１１に嵌合し得る下嵌合枠１２をそれぞれ一体的に形成するとともに、各下嵌合枠１２の側面に、各上嵌合枠１１側のケース本体用係合部１３に係合し得る係合部１５を形成し、
１つの天板用係合部１４とケース本体用係合部１３とを同一位置に形成するとともに、他の天板用係合部１４を、他のケース本体用係合部１３と別位置に形成するとともに、断面が半円形となるカマボコ状にし、
さらに、ケース本体用係合部１３と同一位置に形成した天板用係合部１４に係合する第１嵌合部３１を天板３０に形成して、この第１嵌合部３１にケース本体１０の内側に向けて突出する指掛け３１ａを形成し、
このケース本体１０の上部に対する、他のケース本体１０の係合、または天板３０の嵌合を選択可能としたことを特徴とする収納ケース１００」
である。
【００１１】
すなわち、この収納ケース１００は、それぞれ合成樹脂によって一体成形したケース本体１０と、この中に引出自在に収納する引出収納箱２０とからなるものであり、通常はその上部側に天板３０を取り付けておくものであるが、必要に応じて、この天板３０を取り外して別の収納ケース１００を取り付け、この別の収納ケース１００に天板３０を取り付けるようにしたものである。
【００１２】
そのために、この収納ケース１００においては、ケース本体１０の上部に上嵌合枠１１を一体的に立設しておいて、この上嵌合枠１１の側面にケース本体用係合部１３と天板用係合部１４とを形成したものである。また、このケース本体１０は、その下部に、他の収納ケース１００のケース本体１０に形成してある上嵌合枠１１に嵌合し得る下嵌合枠１２を一体的に形成して、この下嵌合枠１２の側面に、上嵌合枠１１側のケース本体用係合部１３に係合し得る係合部１５を形成したものである。
【００１３】
また、以下に示す実施形態の収納ケース１００においては、図１０の図示左端に位置するケース本体用係合部１３は、天板用係合部１４をも兼ねるものとしてあるが、その他のケース本体用係合部１３と天板用係合部１４とは、図５に示すように、互いに位置をズラせたものとしてある。このようにしたのは、当該ケース本体１０の上部に対する他のケース本体１０の係合と、天板３０の嵌合との、各強度を変えられるようにするためであり、具体的には、当該ケース本体１０の上部に対する他のケース本体１０の嵌合を両者の固定化のために強くし、天板３０の嵌合を取り外しのために弱くなるようにしてある。
【００１４】
さて、この収納ケース１００を構成しているケース本体１０の上部に対しては、次のようにして、他のケース本体１０または天板３０のいずれかを、係合または嵌合するのである。まず、この収納ケース１００は、引出収納箱２０を入れたケース本体１０の上部に天板３０を嵌合したものとして店頭販売されるのであるが、他の収納ケース１００のケース本体１０を当該ケース本体１０上に係合するためには、既に嵌合されている天板３０を取り外さなければならない。
【００１５】
そこで、引出収納箱２０を引き出して中を見ると、このケース本体１０の挿入口１８の反対側の直ぐ上両側に、特に図８に明確に示したように、天板３０側の第１嵌合部３１の指掛け３１ａが突出したものとして見える。そこで、この指掛け３１ａを内方に押し開くと、そのケース本体１０側の天板用係合部１４（これは前述したようにケース本体用係合部１３も兼ねている）に対する係合が解除されるのである。ここで、天板３０の指掛け３１ａ側端部を、少し力を入れながら持ち上げると、天板３０の奥側にある他の第２嵌合部３２がケース本体１０側の天板用係合部１４から順に外れていくことになる。
【００１６】
何故なら、実施形態のケース本体１０における天板用係合部１４は、係止方向と直交する断面がカマボコ状にしてあり、天板３０側の第２嵌合部３２に対する嵌合が比較的緩くなされているからである。このため、天板３０は破損することなくケース本体１０から簡単に外されることになるのである。
【００１７】
以上のようにして天板３０をケース本体１０上部から外せば、当該ケース本体１０の上部には、図４に示すように上嵌合枠１１が露出することになる。そこで今度は、この上嵌合枠１１に対して他のケース本体１０の下部、つまり下嵌合枠１２を嵌合するのである。この下嵌合枠１２には、下のケース本体１０の上嵌合枠１１に形成してあるケース本体用係合部１３に係合し得る係合部１５が形成してあるから、下側のケース本体１０上の上嵌合枠１１に対して、この追加しようとしている上側の下嵌合枠１２を位置決めしながら押圧すれば、例えば図９に示すように、両ケース本体１０は簡単に係合し合って抜け止めがなされるのである。
【００１８】
そして、以上のようなケース本体１０上部に対して、他のケース本体１０または天板３０の選択的な取付が行えるのであるから、当該ケース本体１０については、ケース本体１０、または天板３０によって常に覆われることになる。このため、各ケース本体１０の上面には、図５に示すように、開口１７を多数形成することができるのであり、これによって当該ケース本体１０を形成している合成樹脂材料を必要最小限のものとして済ませることができるのである。なお、実施形態のケース本体１０では、図６に示すように、その底面にも多数の開口１７を形成して、より一層使用材料の低減を図るようにしている。
【００１９】
従って、この収納ケース１００によれば、まず、そのケース本体１０の上部側に天板３０、または別のケース１０の選択的取り付けを可能とすることができ、その結果、ケース本体１０を同一の成形型を用いて大量生産することができてコスト低減を図ることができるのであり、必要に応じたケース本体１０の追加積み上げを良好に行うことができて、使用勝手の良好なものとすることができるのである。また、天板３０の取り外しにあたっては、その破損を防止することができるものであり、安心して使用することができるのである。
【００２０】
そして、この収納ケース１０については、
「天板用係合部１４に係合する第１嵌合部３１を天板３０に形成して、この第１嵌合部３１にケース本体１０の内側に向けて突出する指掛け３１ａを形成」
してあった。
【００２１】
すなわち、この収納ケース１００は、第１嵌合部３１の、ケース本体１０の天板用係合部１４との係合解除を容易に行えるようにして、その使用勝手をより向上させたものであり、そのために、天板３０の手前側部分に位置している第１嵌合部３１に、これを内側に向けて押圧し易くするための指掛け３１ａを形成したのである。
【００２２】
そこで、ケース本体１０の上部から当該天板３０を取り外すに際して、引出収納箱２０を引き出してケース本体１０内を見ると、このケース本体１０の挿入口１８の反対側の直ぐ上両側に、特に図８及び図１１に明確に示したように、この指掛け３１ａが見える。この指掛け３１ａを内方に押し開くと、天板３０側の第１嵌合部３１の、ケース本体１０側の天板用係合部１４（これは前述したようにケース本体用係合部１３も兼ねている）に対する係合が容易に解除されるのである。この場合、第１嵌合部３１とケース本体１０側の天板用係合部１４との係合量は、図９の左上部にて示したように、ケース本体１０等の板厚程度（約２ｍｍ前後）であるため、指掛け３１ａを使用することによって第１嵌合部３１自体の破損を招くことなく、しかも比較的弱い力で嵌合解除を行うことができるのである。
【００２３】
この指掛け３１ａを使用した第１嵌合部３１の嵌合解除を行って、今度は天板３０の挿入口１８側端部（後方部分）を、少し力を入れながら上方に持ち上げると、天板３０の手前側にある第２嵌合部３２がケース本体１０側の天板用係合部１４から順に外れていくことは、前述した通りである。
【００２４】
勿論、天板３０のケース本体１０の上部に対する係合状態は、指掛け３１ａに触れない限り解除されることがないのであり、しかもこの指掛け３１ａは、ケース本体１０内にしか臨んでいないため、何かに触れて第１嵌合部３１の嵌合解除が簡単になされてしまうこともない。このように、天板３０は、ケース本体１０に対して着脱自在ではあるが、第１嵌合部３１または指掛け３１ａに触れない限り、ケース本体１０から簡単に外れてしまうことはない。
【００２５】
なお、ケース本体１０の挿入口１８の反対側の天板用係合部１４は、ケース本体用係合部１３をも兼ねたものであるため、図９に示すように、係止方向と直交する断面が鈎状にしてあり、天板３０側の第１嵌合部３１に対する係合を比較的強くできるようにしてあるが、第１嵌合部３１にはこれを引き起こすことのできる指掛け３１ａが形成してあるから、その嵌合解除は、上述したように、人の指を使って容易に行えるのである。
【００２６】
【発明の実施の形態】
次に、上記のように構成した各請求項の発明を、図面に示した実施の形態である収納ケース１００を中心にして説明していくこととする。
【００２７】
さて、図１には、本発明に係る収納ケース１００であって、３つのケース本体１０を積み上げて互いに係合させるとともに、一番上のケース本体１０に天板３０を嵌合させた状態の正面図が示してある。上側２つの各ケース本体１０は、図２及び図３に示したように、その底部にて下側のケース本体１０に対して係合させてあるものであり、一番上のケース本体１０については、その上部に天板３０を嵌合したものである。
【００２８】
各ケース本体１０は、図４に示したように、上部に突出する上嵌合枠１１を一体的に形成したものであり、この上嵌合枠１１の前方（図４では図示右側）には、後述する天板３０のための引掛部１６が上嵌合枠１１と同程度の高さで当該ケース本体１０の上部に一体的に形成してある。
【００２９】
つまり、このケース本体１０の上面側には、図５に示すように、左右（図５では図示上下）に位置する２本の上嵌合枠１１が形成してあり、各上嵌合枠１１の内側には複数のケース本体用係合部１３及び天板用係合部１４が一体的に形成してある。
【００３０】
各上嵌合枠１１の上端部外側には、図５に示したように、多数の補強リブ１９が当該上嵌合枠１１と一体的に形成してあり、これら補強リブ１９の上部には、図９に示したように、テーパ面１９ａが形成してある。このテーパ面１９ａは、当該上嵌合枠１１に他のケース本体１０の後述する下嵌合枠１２が嵌合されるときの案内を行うものであり、ケース本体１０同士の係合を容易に行えるようにするためのものである。
【００３１】
各ケース本体用係合部１３は、図５等に示したように、次の説明する天板用係合部１４と干渉し合わない部分に形成してあり、その断面形状は、図９にも示したように、鈎状となるものとしてある。これに対して、各天板用係合部１４は、断面が半円形となるようなカマボコ状のものとしてある。各天板用係合部１４が断面カマボコ状としてあるのは、この天板用係合部１４は天板３０をケース本体１０に嵌合させるものであり、その嵌合状態が解除されることもあって、その嵌合解除を比較的容易に行うようにするためである。これに対して、ケース本体用係合部１３を断面鈎状としたのは、このケース本体用係合部１３は上下のケース本体１０を互いに係合させるものであって、係合させた各ケース本体１０が外れないようにしなければならないから、その係合を強固なものとするためである。
【００３２】
各ケース本体１０の底部には、図６及び図９に示したように、上部側の上嵌合枠１１に内側嵌合される下嵌合枠１２が一体的に形成してあり、この下嵌合枠１２の、上述した各ケース本体用係合部１３に対応する部分の内側には、後述する天板３０側の第１嵌合部３１と同様な係合部１５が形成してある。この下嵌合枠１２の外側を含むケース本体１０下部全周には、図６にも示すように下嵌合枠１２と同様な枠が形成してあり、この枠と下嵌合枠１２との間に、前述した上嵌合枠１１が嵌合されるのである。このときに、上嵌合枠１１側の補強リブ１９に形成してあるテーパ面１９ａが嵌合時の位置決め案内を果たすのである。
【００３３】
そして、以上のように構成したケース本体１０の底面には、図５及び図６に示したように、複数の開口１７が形成してあり、これによってケース本体１０全体に使用する合成樹脂の材料軽減を図っているのである。
【００３４】
以上のようなケース本体１０内に、その前方に形成した挿入口１８から出入自在に収納される引出収納箱２０は、図２及び図９等で示したように、合成樹脂を材料として一体的に成形されるものである。勿論、この引出収納箱２０の前面側には、図１及び図３に示したように、引出操作を行うときに手指を掛けるための取手部が形成してある。
【００３５】
天板３０は、図７に示すように、その下面側に、下嵌合枠１２と同様な枠が形成してあり、この枠の、ケース本体１０に形成してある各天板用係合部１４（一番後側のケース本体用係合部１３を含む）に対応する部分に、当該天板３０をケース本体１０に嵌合するための第１嵌合部３１及び第２嵌合部３２が一体的に形成してある。第１嵌合部３１は、ケース本体１０の奥側に形成してあるケース本体用係合部１３に嵌合されるものであり、この第１嵌合部３１には、図８及び図９に示したように、当該天板３０をケース本体１０から取り外すときに使用する指掛け３１ａが一体的に形成してある。
【００３６】
また、この天板３０の前端部には、図７及び図１１に示したように、係止突起３３が一体的に形成してあり、この係止突起３３は、ケース本体１０の上に形成してある引掛部１６に、図１１に示したように係合されるものである。つまり、この係止突起３３は、当該天板３０をケース本体１０の嵌合するに際して、ケース本体１０側の引掛部１６に係合させておかれるものであり、その状態のまま天板３０の後方部分をケース本体１０上に押し付けることにより、天板３０のケース本体１０に対する嵌合操作を容易に行えるようにするものである。
【００３７】
【発明の効果】
以上詳述した通り、本発明においては、まず、ケース本体１０の左右両側壁の上部に上嵌合枠１１をそれぞれ一体的に立設して、これら各上嵌合枠１１の側面にケース本体用係合部１３と天板用係合部１４とをそれぞれ複数形成する一方、このケース本体１０の下部に上嵌合枠１１に嵌合し得る下嵌合枠１２をそれぞれ一体的に形成するとともに、各下嵌合枠１２の側面に、各上嵌合枠１１側のケース本体用係合部１３に係合し得る係合部１５を形成したことにその構成上の特徴があり、これにより、ケース本体１０の上部側に対する天板３０の嵌合を破損することなく行うことができ、また別のケース本体１０の取り付けを容易に行え、複数のケース本体１０の積み上げを良好に行うことのできる収納ケース１００を、簡単な構造によって提供することができるのである。
【００３８】
また、本発明によれば、１つの天板用係合部１４とケース本体用係合部１３とを同一位置に形成するとともに、他の天板用係合部１４を、他のケース本体用係合部１３と別位置に形成するとともに、断面が半円形となるカマボコ状にし、天板用係合部１４に係合する第１嵌合部３１を天板３０に形成して、この第１嵌合部３１にケース本体１０の内側に向けて突出する指掛け３１ａを形成したことにその構成上の特徴があり、これにより、天板３０のケース本体１０に対する取り付け及び取り外し作業をより簡単に行うことのできる収納ケース１００を提供することができるのである。
【図面の簡単な説明】
【図１】本発明の収納ケースを示すもので、３つのケース本体を積み上げた場合の正面図である。
【図２】同縦断面図である。
【図３】図１中の１−１線に沿ってみた縦断側面図である。
【図４】本発明の収納ケースを構成しているケース本体の右側面図である。
【図５】同ケース本体の平面図である。
【図６】同ケース本体の底面図である。
【図７】同収納ケースを構成している天板の底面図である。
【図８】同天板の第１嵌合部に形成してある指掛けを説明するための斜視図である。
【図９】同ケース本体上部に対する天板の嵌合状態と、ケース本体下部に対する他のケース本体の係合状態とを示す部分拡大縦断面図である。
【図１０】ケース本体の上部に対する天板と他のケース本体の下部との位置関係を示す部分拡大側断面図である。
【図１１】同ケース本体上部に対する天板の嵌合状態と、ケース本体下部に対する他のケース本体の係合状態とを示す部分拡大縦断側面図である。
【符号の説明】
１００  収納ケース
１０  ケース本体
１１  上嵌合枠
１２  下嵌合枠
１３  ケース本体用係合部
１４  天板用係合部
１５  係合部
１６  引掛部
１７  開口
１８  挿入口
１９  補強リブ
１９ａ  テーパ面
２０  引出収納箱
３０  天板
３１  第１嵌合部
３１ａ  指掛け
３２  第２嵌合部
３３  係止突起
【図１】
0004419158.tif 000002
【図２】
0004419158.tif 000003
【図３】
0004419158.tif 000004
【図４】
0004419158.tif 000005
【図５】
0004419158.tif 000006
【図６】
0004419158.tif 000007
【図７】
0004419158.tif 000008
【図８】
0004419158.tif 000009
【図９】
0004419158.tif 000010
【図１０】
0004419158.tif 000011
【図１１】
0004419158.tif 000012